(57)【特許請求の範囲】
【請求項１】
複数の室内空調ユニットの運転制御を行うことが可能な室外空調ユニットに接続される室内空調ユニットであって、
室内空調ユニットの設置形態又は開発年度に対応した実際の空調能力である実能力値が格納されたデータ格納部を備え、前記実能力値を空調運転制御用パラメータとして前記室外空調ユニットに送信する室内空調ユニット。
【請求項２】
前記データ格納部には、前記実能力値と共に、空調運転の定格能力クラスに関する定格能力データが格納されている、
請求項１に記載の室内空調ユニット。
【請求項３】
室内熱交換器を備え、冷房運転時における定格能力を出力する際の前記室内熱交換器内の冷媒蒸発温度を前記実能力値として前記室外空調ユニットに送信する、請求項１または２いずれかに記載の室内空調ユニット。
【請求項４】
室内熱交換器を備え、暖房運転時における定格能力を出力する際の前記室内熱交換器内の冷媒凝縮温度を前記実能力値として前記室外空調ユニットに送信する、請求項１から３のいずれかに記載の室内空調ユニット。
【請求項５】
室内熱交換器を備え、前記室内熱交換器内の冷媒蒸発温度が所定値である場合の冷房能力を前記実能力値とする、請求項１から３のいずれか記載の室内空調ユニット。
【請求項６】
室内熱交換器を備え、前記室内熱交換器内の冷媒凝縮温度が所定値である場合の暖房能力を前記実能力値とする、請求項１、２、５のいずれかに記載の室内空調ユニット。
【請求項７】
室内空気を導入して前記室内熱交換器との間で熱交換させるための空気流を生成する室内ファンを備え、前記室内ファンの回転数に基づいて前記実能力値を補正する、請求項５または６に記載の室内空調ユニット。
【請求項８】
複数の室内空調ユニットを運転制御可能な室外空調ユニットであって、
前記室内空調ユニットに備えられたデータ格納部に格納され室内空調ユニットの設置形態又は開発年度に対応した実際の空調能力である実能力値を前記室内空調ユニットから受信し、前記実能力値を空調運転制御用パラメータとして運転制御を行う室外空調ユニット。
【請求項９】
前記室内空調ユニットは室内熱交換器を備え、冷房運転時における定格能力を出力する際の前記室内熱交換器内の冷媒蒸発温度を前記実能力値とする、請求項８に記載の室外空調ユニット。
【請求項１０】
前記室内空調ユニットは室内熱交換器を備え、暖房運転時における定格能力を出力する際の前記室内熱交換器内の冷媒凝縮温度を前記実能力値とする、請求項８または９に記載の室外空調ユニット。
【請求項１１】
前記室内空調ユニットは室内熱交換器を備え、前記室内熱交換器内の冷媒蒸発温度が所定値である場合の冷房能力を前記実能力値とする、請求項８に記載の室外空調ユニット。
【請求項１２】
前記室内空調ユニットは室内熱交換器を備え、前記室内熱交換器内の冷媒凝縮温度が所定値である場合の暖房能力を前記実能力値とする、請求項８または１１に記載の室外空調ユニット。
【請求項１３】
前記室内空調ユニットは室内空気を導入して前記室内熱交換器との間で熱交換させるための空気流を生成する室内ファンを備え、前記室内ファンの回転数に基づいて前記実能力値を補正する、請求項１１または１２に記載の室外空調ユニット。
【請求項１４】
インバータ回路の出力が供給され、前記インバータ回路の出力周波数により運転状態を制御可能な圧縮機を備え、前記実能力値に基づいて前記圧縮機に供給される初期周波数を決定する、請求項８〜１３のいずれかに記載の室外空調ユニット。
【請求項１５】
室外熱交換器を備え、前記室外熱交換器から前記複数の室内熱交換器に冷媒分岐を行う分岐配管にそれぞれ設けられた減圧用の電動膨張弁の開度を、前記実能力値に基づいて決定する、請求項８〜１４のいずれかに記載の室外空調ユニット。
【請求項１６】
室内空調ユニットの設置形態又は開発年度に対応した実際の空調能力である実能力値が格納されたデータ格納部を備え、前記実能力値を空調運転制御用パラメータとして前記室外空調ユニットに送信する複数の室内空調ユニットと、
前記実能力値を前記室内空調ユニットから受信し、前記実能力値を空調運転制御用パラメータとして運転制御を行う室外空調ユニットと、
を備える空気調和機。
【請求項１７】
前記室内空調ユニットは室内熱交換器を備え、冷房運転時における定格能力を出力する際の前記室内熱交換器内の冷媒蒸発温度を前記実能力値とする、請求項１６に記載の空気調和機。
【請求項１８】
前記室内空調ユニットは室内熱交換器を備え、暖房運転時における定格能力を出力する際の前記室内熱交換器内の冷媒凝縮温度を前記実能力値とする、請求項１６または１７に記載の空気調和機。
【請求項１９】
前記室内空調ユニットは室内熱交換器を備え、前記室内熱交換器内の冷媒蒸発温度が所定値である場合の冷房能力を前記実能力値とする、請求項１６に記載の空気調和機。
【請求項２０】
前記室内空調ユニットは室内熱交換器を備え、前記室内熱交換器内の冷媒凝縮温度が所定値である場合の暖房能力を前記実能力値とする、請求項１６または１９に記載の空気調和機。
【請求項２１】
前記室内空調ユニットは室内空気を導入して前記室内熱交換器との間で熱交換させるための空気流を生成する室内ファンを備え、前記室内ファンの回転数に基づいて前記実能力値を補正する、請求項１９または２０に記載の空気調和機。
【請求項２２】
前記室外空調ユニットは、インバータ回路の出力が供給され、前記インバータ回路の出力周波数により運転状態を制御可能な圧縮機を備え、前記実能力値に基づいて前記圧縮機に供給される初期周波数を決定する、請求項１６〜２１のいずれかに記載の空気調和機。
【請求項２３】
前記室外空調ユニットは、室外熱交換器を備え、前記室外熱交換器から前記複数の室内熱交換器に冷媒分岐を行う分岐配管にそれぞれ設けられた減圧用の電動膨張弁の開度を、前記実能力値に基づいて決定する、請求項１６〜２２のいずれかに記載の空気調和機。
【発明の詳細な説明】
【０００１】
【発明の属する技術分野】
本発明は、複数の室内空調ユニットの運転制御を行うことが可能な室外空調ユニットに接続される室内空調ユニット、複数の室内空調ユニットを運転制御可能な室外空調ユニットおよび室外空調ユニットに複数の室内空調ユニットが接続される空気調和機に関する。
【０００２】
【従来の技術】
室外空調ユニットと室内空調ユニットとを備えるセパレート型空気調和機において、室外空調ユニット側に制御部に設け、この制御部により冷媒回路内に配置されている圧縮機の運転周波数や電動膨張弁の開度制御を行っている場合が多い。
【０００３】
この場合、室内空調ユニット側では、ユーザにより設定された設定温度に対する現在の室温の差である設定温度差を室外空調ユニットに送信する。室外空調ユニットの制御部では、送信されてくる設定温度差に基づいて圧縮機を運転制御しているインバータ回路の出力周波数と、冷媒回路中の電動膨張弁の開度を調整して適切な空調運転を行う。
【０００４】
１つの室外空調ユニットに対して複数の室内空調ユニットが接続される場合、特に、様々な仕様の室内空調ユニットが接続される可能性がある場合には、室内空調ユニットでは、設定温度差とともに自機の定格能力を制御パラメータとして送信する。室外空調ユニットの制御部では、稼働中の室内空調ユニットの定格能力の合計と、設定温度差の最大値に基づいて、圧縮機を運転制御しているインバータ回路の出力周波数の初期値を決定し、同時に冷媒回路中の電動膨張弁の開度を決定し、これに基づいて空調運転制御を行う。
【０００５】
【発明が解決しようとする課題】
上述のような空気調和機では、室内空調ユニットの形態や開発年度により同じ定格能力クラスであっても、実際の空調能力が異なる場合がある。たとえば、壁掛け型の室内空調ユニットとビルトインタイプの室内空調ユニットの場合では、同じ定格能力クラスであっても、壁掛けタイプのものの方が実際の空調能力が小さくなる傾向にある。また、技術向上に伴って室内熱交換器などの熱効率が向上すれば、同一定格能力クラスであっても、旧型のものに比して新しい開発年度のものの方が大きな空調能力を有することとなる。
【０００６】
前述したように、室内空調ユニットの定格能力を運転制御パラメータとして室外空調ユニットに送信する場合、室内空調ユニットの形態や開発年度による実際の空調能力が異なるため、適切な空調運転制御を行うことができないおそれがある。特に、空調運転の立ち上がり時において、室内空調ユニットから室内への吹き出し温度を適切にすることができないことに起因して、快適性を損なうという問題点を包含している。
【０００７】
本発明では、室内空調ユニットの形態や開発年度が異なる場合であっても、その室内空調ユニットに適した空調運転を可能とし、快適性を向上させることを目的とする。
【０００８】
【課題を解決するための手段】
本発明に係る室内空調ユニットは、複数の室内空調ユニットの運転制御を行うことが可能な室外空調ユニットに接続される室内空調ユニットであって、室内空調ユニットの設置形態又は開発年度に対応した実際の空調能力である実能力値が格納されたデータ格納部を備え、実能力値を空調運転制御用パラメータとして室外空調ユニットに送信するように構成される。
【０００９】
この場合、室外空調ユニットによる運転制御が室内空調ユニットの実能力値に応じて適切なものとなり、特に空調運転の立ち上がり時における快適性を維持することが可能となる。
ここで、室内熱交換器を備え、冷房運転時における定格能力を出力する際の室内熱交換器内の冷媒蒸発温度を実能力値として室外空調ユニットに送信するように構成できる。
【００１０】
この場合、冷房運転時における立ち上がり性能を向上させることができ、快適性を維持することが可能となる。
また、室内熱交換器を備え、暖房運転時における定格能力を出力する際の室内熱交換器内の冷媒凝縮温度を実能力値として室外空調ユニットに送信するように構成できる。
【００１１】
この場合、暖房運転時における立ち上がり性能を向上させることができ、快適性を維持することができる。
さらに、室内熱交換器を備え、室内熱交換器内の冷媒蒸発温度が所定値である場合の冷房能力を実能力値とすることができる。
この場合、冷房運転時における立ち上がり性能を向上させることができ、快適性を維持することができる。
【００１２】
また、室内熱交換器を備え、室内熱交換器内の冷媒凝縮温度が所定値である場合の暖房能力を実能力値とすることができる。
この場合、暖房運転時における立ち上がり性能を向上させることができ、快適性を維持することができる。
さらに、室内空気を導入して室内熱交換器との間で熱交換させるための空気流を生成する室内ファンを備え、室内ファンの回転数に基づいて実能力値を補正するように構成することができる。
【００１３】
この場合には、室内熱交換器内の冷媒蒸発温度が所定値である場合の冷房能力および室内熱交換器内の冷媒凝縮温度が所定値である場合の暖房能力を、そのときの室内ファンの回転数により補正することで、運転開始時における運転制御を適切なものとすることができ、快適性を維持することが可能となる。
また、本発明に係る室外空調ユニットは、複数の室内空調ユニットを運転制御可能な室外空調ユニットであって、室内空調ユニットに備えられたデータ格納部に格納され室内空調ユニットの設置形態又は開発年度に対応した実際の空調能力である実能力値を室内空調ユニットから受信し、実能力値を空調運転制御用パラメータとして運転制御を行うように構成する。
【００１４】
この場合には、接続されている室内空調ユニットの形態や開発年度に依存することなく、適切な運転制御を行うことが可能となる。
ここで、室内空調ユニットは室内熱交換器を備え、冷房運転時における定格能力を出力する際の室内熱交換器内の冷媒蒸発温度を実能力値とすることができる。
【００１５】
この場合、冷房運転時における立ち上がり性能を向上させることができ、快適性を維持することが可能となる。
また、室内空調ユニットは室内熱交換器を備え、暖房運転時における定格能力を出力する際の室内熱交換器内の冷媒凝縮温度を実能力値とすることができる。
この場合、暖房運転時における立ち上がり性能を向上させることができ、快適性を維持することが可能となる。
【００１６】
さらに、室内空調ユニットは室内熱交換器を備え、室内熱交換器内の冷媒蒸発温度が所定値である場合の冷房能力を実能力値とすることができる。
この場合、冷房運転時における立ち上がり性能を向上させることができ。快適性を維持することができる。
また、室内空調ユニットは室内熱交換器を備え、室内熱交換器内の冷媒凝縮温度が所定値である場合の暖房能力を実能力値とすることができる。
【００１７】
この場合、暖房運転時における立ち上がり性能を向上させることができ、快適性を維持することができる。
さらに、室内空調ユニットは室内空気を導入して室内熱交換器との間で熱交換させるための空気流を生成する室内ファンを備え、室内ファンの回転数に基づいて実能力値を補正するように構成できる。
【００１８】
この場合、室内熱交換器内の冷媒蒸発温度が所定値である場合の冷房能力および室内熱交換器内の冷媒凝縮温度が所定値である場合の暖房能力を、そのときの室内ファンの回転数により補正することで、運転開始時における運転制御を適切なものとすることができ、快適性を維持することが可能となる。
また、インバータ回路の出力が供給され、インバータ回路の出力周波数により運転状態を制御可能な圧縮機を備え、実能力値に基づいて圧縮機に供給される初期周波数を決定するように構成できる。
【００１９】
この場合には、圧縮機の運転周波数を室内空調ユニットの実能力値に適合させることができ、運転開始時における立ち上がり性能を向上させることが可能となる。
さらに、室外熱交換器を備え、室外熱交換器から複数の室内熱交換器に冷媒分岐を行う分岐配管にそれぞれ設けられた減圧用の電動膨張弁の開度を、実能力値に基づいて決定するように構成できる。
【００２０】
この場合、電動膨張弁の開度制御を室内空調ユニットの実能力値に適合したものとすることができ、運転開始時における立ち上がり性能を向上させることが可能となる。
本発明に係る空気調和機は、室内空調ユニットの設置形態又は開発年度に対応した実際の空調能力である実能力値が格納されたデータ格納部を備え、実能力値を空調運転制御用パラメータとして室外空調ユニットに送信する複数の室内空調ユニットと、実能力値を室内空調ユニットから受信し、実能力値を空調運転制御用パラメータとして運転制御を行う室外空調ユニットとを備える。
【００２１】
この場合には、室内空調ユニットの実能力値に応じて、運転制御を行うことが可能となり、特に運転開始時における立ち上がり性能を向上させることができ、快適性を維持することが可能となる。
ここで、室内空調ユニットは室内熱交換器を備え、冷房運転時における定格能力を出力する際の室内熱交換器内の冷媒蒸発温度を実能力値とすることができる。
【００２２】
この場合、冷房運転時における立ち上がり性能を向上させることができ、快適性を維持することが可能となる。
また、室内空調ユニットは室内熱交換器を備え、暖房運転時における定格能力を出力する際の室内熱交換器内の冷媒凝縮温度を実能力値とすることができる。
この場合、暖房運転時における立ち上がり性能を向上させることができ、快適性を維持することが可能となる。
【００２３】
さらに、室内空調ユニットは室内熱交換器を備え、室内熱交換器内の冷媒蒸発温度が所定値である場合の冷房能力を実能力値とすることができる。
この場合、冷房運転時における立ち上がり性能を向上させることができ、快適性を維持することが可能となる。
また、室内空調ユニットは室内熱交換器を備え、室内熱交換器内の冷媒凝縮温度が所定値である場合の暖房能力を実能力値とすることができる。
【００２４】
この場合、暖房運転時における立ち上がり性能を向上させることができ、快適性を維持することが可能となる。
さらに、室内空調ユニットは室内空気を導入して室内熱交換器との間で熱交換させるための空気流を生成する室内ファンを備え、室内ファンの回転数に基づいて実能力値を補正するように構成できる。
【００２５】
この場合、室内熱交換器内の冷媒蒸発温度が所定値である場合の冷房能力および室内熱交換器内の冷媒凝縮温度が所定値である場合の暖房能力を、そのときの室内ファンの回転数により補正することで、運転開始時における運転制御を適切なものとすることができ、快適性を維持することが可能となる。
また、室外空調ユニットは、インバータ回路の出力が供給され、インバータ回路の出力周波数により運転状態を制御可能な圧縮機を備え、実能力値に基づいて圧縮機に供給される初期周波数を決定するように構成できる。
【００２６】
この場合、圧縮機の運転周波数を室内空調ユニットの実能力値に適合させることができ、運転開始時における立ち上がり性能を向上させることが可能となる。
さらに、室外空調ユニットは、室外熱交換器を備え、室外熱交換器から複数の室内熱交換器に冷媒分岐を行う分岐配管にそれぞれ設けられた減圧用の電動膨張弁の開度を、実能力値に基づいて決定するように構成できる。
【００２７】
この場合、電動膨張弁の開度制御を室内空調ユニットの実能力値に適合したものとすることができ、運転開始時における立ち上がり性能を向上させることが可能となる。
【００２８】
【発明の実施の形態】
〔冷媒回路〕
本発明の１実施形態が採用される空気調和機の冷媒回路を図１に示す。
図１において、室外空調ユニット１は、３台の室内空調ユニット２Ａ〜２Ｃに接続されている。
【００２９】
室外空調ユニット１は、圧縮機１１、四路切換弁１２、室外熱交換器１３、アキュムレータ１５などを備えている。
室外熱交換器１３の出口側は液管側配管１５を構成しており、接続可能な室内空調ユニットの数だけ分岐した液管側分岐部１６を備えている。
液管側分岐部１６には、それぞれ減圧用の電動膨張弁１７Ａ〜１７Ｃが設けられている。
【００３０】
また、四路切換弁１２の出口側はガス管側配管１８を構成しており、接続可能な室内空調ユニットの数だけ分岐したガス管側分岐部１９を備えている。
室内空調ユニット２Ａ〜２Ｃには、それぞれ室内熱交換器２１Ａ〜２１Ｃが設けられており、室外空調ユニット１の液管側分岐部１６およびガス管側分岐部１９を介して室外空調ユニット１内の冷媒回路と接続されている。
【００３１】
〔制御部〕
室外空調ユニット１および室内空調ユニット２の制御ブロック図の一例を図２に示す。
室外空調ユニット１内には、マイクロプロセッサ、ＲＯＭ、ＲＡＭ、各種インターフェイスなどを含む室外ユニット制御部１０１を備えている。
【００３２】
室外ユニット制御部１０１は、圧縮機１１の吐出管に設けられる吐出側圧力保護スイッチ１０２、圧縮機１１の吐出管温度を検出するための吐出管サーミスタ１０３、圧縮機１１の吸入側圧力を検出する吸入側圧力センサ１０４、外気温を検出するための外気サーミスタ１０５、室外熱交換器１３の熱交中間温度を検出する室外熱交サーミスタ１０６などの各種センサが接続されており、各センサの検出信号が入力される。
【００３３】
また、室外ユニット制御部１０１は、室外冷媒回路を構成する圧縮機１１、四路切換弁１２、電動膨張弁１７Ａ〜１７Ｃ、室外ファンモータ１０７などと接続されており、制御信号を供給することによって運転中の各部の制御を行うように構成されている。圧縮機１１は、インバータ回路からの出力が供給され、その周波数に応じて運転状態が制御されるように構成されている。
【００３４】
室内空調ユニット２は、マイクロプロセッサ、ＲＯＭ、ＲＡＭ、各種インターフェイスなどを含む室内ユニット制御部２０１を備えている。
室内ユニット制御部２０１は、液管サーミスタ２０２、ガス管サーミスタ２０３、室内熱交サーミスタ２０４、室温センサ２０５などの各種センサが接続されており、各センサの検出信号が入力される。
【００３５】
また、室内ユニット制御部２０１は、接続される室内ファンモータ２０６、水平羽根作動モータ２０７、垂直羽根作動モータ２０８、表示部２０９、赤外線送受信部２１０などに接続されており、各部に対して制御信号を供給することによって運転中の各部の制御を行うように構成されている。
室内ユニット制御部２０１には、ＲＯＭまたはＥＥＰＲＯＭなどで構成されるデータ格納部が構成されており、空調運転の定格能力クラスに関する定格能力データと、空調運転時における実際の空調能力に関する実能力値データとが格納されている。
【００３６】
リモコンの操作によりユーザからの指示入力があった場合には、赤外線送受信部２１０によりリモコンからの指示信号を受信する。受信する指示信号としては、運転モードの指示信号、設定温度信号、風量設定信号、タイマ設定信号、風向設定信号などの各種運転指示に関する指示信号が考えられる。運転モードの指示信号が送信されてきた場合には、同時に送信されてくる設定温度信号を取得する。自動設定である場合には、設定温度信号に代えてデフォルトで設定されている温度を設定温度とする。
【００３７】
このとき、同時に室温センサ２０５の検出値を取得して、設定温度との差を設定温度差として算出する。さらに、データ格納部に格納されている実能力値データを読み出して、運転モード信号、設定温度差、実能力値を室外ユニット制御部１０１に送信する。
室外ユニット制御部１０１では、室内ユニット制御部２０１から送信されてくる設定温度差および実能力値に基づいて圧縮機１１に供給する初期周波数を決定するとともに、電動膨張弁１７Ａ〜１７Ｃの開度を決定する。
【００３８】
〔室内空調ユニットの制御〕
室内ユニット制御部２０１における動作を図３に示す。
ステップＳ１１では、設定温度ＴＳ、室温ＴＤおよび運転モードの読み込みを行う。ここでは、リモコンから送信されてきた設定温度、または自動運転が指示されている際には運転モードに応じて設定されているデフォルト値を読み込んで設定温度ＴＳとする。また、室温センサ２０５の検出値を読み込んで室温ＴＤとする。運転モードは、リモコンから送信されてきた運転モード信号に基づいて設定される。
【００３９】
ステップＳ１２では、設定温度差ΔＴを算出する。設定温度差ΔＴは、暖房運転時には（設定温度ＴＳ−室温ＴＤ）で算出することが可能であり、冷房運転時には（室温ＴＤ−設定温度ＴＳ）で算出することが可能である。
ステップＳ１３では、各種データおよび指示信号を室外ユニット制御部１０１に送信する。ここでは、リモコンより運転オン／オフ信号が送信されてきた場合には、この運転オン／オフ信号を室外ユニット制御部１０１に転送する。
【００４０】
また、ステップＳ１２で算出した設定温度差ΔＴおよびユーザからの指示に基づいて設定されている運転モードを室外ユニット制御部１０１に送信する。
さらに、データ格納部に格納されている自機の定格能力クラスを室外ユニット制御部１０１に送信する。この定格能力クラスは、従来から制御パラメータとして用いられているものであり、圧縮機１１に供給する電源周波数の上限周波数および下限周波数を決定するために用いられる。
【００４１】
また、データ格納部に格納されている実能力値を室外ユニット制御部１０１に送信する。ここで、実能力値は、冷房運転時における定格能力を出力する際の室内熱交換器２１内の冷媒蒸発温度とすることができる。また、暖房運転時においては、定格能力を出力する際の室内熱交換器２１内の冷媒凝縮温度を実能力値とすることが可能である。
【００４２】
また、実能力値は、冷房運転時には、室内熱交換器内の冷媒蒸発温度が所定値である場合の冷房能力（ｋＷ）とすることができ、暖房運転時には、室内熱交換器内の冷媒凝縮温度が所定値である場合の暖房能力（ｋＷ）とすることができる。この場合には、室内ファンモータ２０６の回転数に応じて、実能力値を補正することも可能である。たとえば、室内ファンモータ２０６の回転数を、大きい順に「Ｈ」、「Ｍ」、「Ｌ」に区分し、それぞれに設定された係数を前述の冷房能力または暖房能力に乗算した値を実能力値として算出する。
【００４３】
〔室外空調ユニットの制御〕
室外ユニット制御部１０１における動作を図４に示す。
ステップＳ２１では、室内ユニット制御部２０１から送信されてきた伝送データを読み込む。ここでは、ステップＳ１３において各室内ユニット制御部２０１が送信するオン／オフ信号、設定温度差、運転モード、定格能力クラス、実能力値などを受信し、これを読み込む。
【００４４】
ステップＳ２２では、送信されてきた運転モード信号により運転モードを決定する。
ステップＳ２３では、圧縮機１１をオフするか否かを判別する。送信されてきた伝送データに基づいて、圧縮機１１をオフすべきであると判断した場合には、圧縮機１１の運転を停止してステップＳ２１に移行する。そうでないない場合にはステップＳ２４に移行する。
【００４５】
ステップＳ２４では、運転部屋数が変化したか否かを判別する。空調運転が停止していた部屋において運転開始の指示があった場合や空調運転を実行していた部屋において運転停止の部屋があった場合、または運転モードの変更指示があった場合には、運転部屋数が変化したと判断してステップＳ２５に移行する。
ステップＳ２５では、各室内ユニット制御部２０１から伝送されてきたデータに基づいて圧縮機１１の初期周波数よおび電動膨張弁１７Ａ〜１７Ｃの開度を決定する。
【００４６】
圧縮機１１の初期周波数については、図５に示すようなマトリクスから決定することができる。ここでは、各室内ユニット制御部２０１から伝送されてきた設定温度差ΔＴのうち最大値が、α、β、γのいずれの数値範囲にあるかを判別している。また、各室内ユニット制御部２０１から伝送されてきた実能力値の合計が、Ａ，Ｂ，Ｃ，Ｄのいずれの数値範囲にあるかを判別している。このマトリクスにより、圧縮機１１に対する初期周波数をｆ１〜ｆ１２のいずれかに決定する。
【００４７】
電動膨張弁１７Ａ〜１７Ｃの開度は、図５のマトリクスにより決定された初期周波数と、各室内ユニット制御部２０１から伝送されてきた実能力値に応じて決定される。ここで、電動膨張弁１７Ａに対する開度ＤＡ、冷媒循環量に関する係数をＫ、切片係数をＢ、室内空調ユニット２Ａの実能力値をＣＡ、実能力値合計をＣＴ、初期周波数をＦとすると、
ＤＡ＝Ｋ×（ＣＡ／ＣＴ）×Ｆ＋Ｂ×（ＣＡ／ＣＴ）
＝（Ｋ×Ｆ＋Ｂ）×（ＣＡ／ＣＴ）
で算出することができる。
【００４８】
このように圧縮機１１に供給する初期周波数と、電動膨張弁１７Ａ〜１７Ｃの初期開度を各室内空調ユニット２Ａ〜ＡＣの実能力値に基づいて決定しているため、適切な運転制御を行うことができ、運転開始時において各室内空調ユニット２Ａ〜２Ｃから吹き出される空気温度を適切に保つことができる。
〔他の実施形態〕
電動膨張弁１７Ａ〜１７Ｃは、室外空調ユニット１内に設けることが可能であり、それぞれ対応する室内空調ユニット２Ａ〜２Ｃに設けることも可能である。
【００４９】
また、室外空調ユニット１と室内空調ユニット２Ａ〜２Ｃとの間に冷媒中継ユニットを設け、この冷媒中継ユニット内で各室内空調ユニット２Ａ〜２Ｃに分岐する冷媒分岐配管を配置し、各冷媒分岐配管に電動膨張弁を設けた構成とすることも可能である。
室外空調ユニット１に接続される室内空調ユニットの数は実施例に限定されるものではなく、１ないし複数の室内空調ユニットとすることが可能である。
【００５０】
【発明の効果】
本発明の請求項１に係る室内空調ユニットでは、室外空調ユニットによる運転制御が室内空調ユニットの実能力値に応じて適切なものとなり、特に空調運転の立ち上がり時における快適性を維持することが可能となる。
請求項３に係る室内空調ユニットでは、冷房運転時における立ち上がり性能を向上させることができ、快適性を維持することが可能となる。
【００５１】
請求項４に係る室内空調ユニットでは、暖房運転時における立ち上がり性能を向上させることができ、快適性を維持することができる。
請求項５に係る室内空調ユニットでは、冷房運転時における立ち上がり性能を向上させることができ、快適性を維持することができる。
請求項６に係る室内空調ユニットでは、暖房運転時における立ち上がり性能を向上させることができ、快適性を維持することができる。
【００５２】
請求項７に係る室内空調ユニットでは、室内熱交換器内の冷媒蒸発温度が所定値である場合の冷房能力および室内熱交換器内の冷媒凝縮温度が所定値である場合の暖房能力を、そのときの室内ファンの回転数により補正することで、運転開始時における運転制御を適切なものとすることができ、快適性を維持することが可能となる。
【００５３】
また、本発明の請求項８に係る室外空調ユニットでは、接続されている室内空調ユニットの形態や開発年度に依存することなく、適切な運転制御を行うことが可能となる。
請求項９に係る室外空調ユニットでは、冷房運転時における立ち上がり性能を向上させることができ、快適性を維持することが可能となる。
【００５４】
請求項１０に係る室外空調ユニットでは、暖房運転時における立ち上がり性能を向上させることができ、快適性を維持することが可能となる。
請求項１１に係る室外空調ユニットでは、冷房運転時における立ち上がり性能を向上させることができ。快適性を維持することができる。
請求項１２に係る室外空調ユニットでは、暖房運転時における立ち上がり性能を向上させることができ、快適性を維持することができる。
【００５５】
請求項１３に係る室外空調ユニットでは、室内熱交換器内の冷媒蒸発温度が所定値である場合の冷房能力および室内熱交換器内の冷媒凝縮温度が所定値である場合の暖房能力を、そのときの室内ファンの回転数により補正することで、運転開始時における運転制御を適切なものとすることができ、快適性を維持することが可能となる。
【００５６】
請求項１４に係る室外空調ユニットでは、圧縮機の運転周波数を室内空調ユニットの実能力値に適合させることができ、運転開始時における立ち上がり性能を向上させることが可能となる。
請求項１５に係る室外空調ユニットでは、電動膨張弁の開度制御を室内空調ユニットの実能力値に適合したものとすることができ、運転開始時における立ち上がり性能を向上させることが可能となる。
【００５７】
本発明の請求項１６に係る空気調和機では、室内空調ユニットの実能力値に応じて、運転制御を行うことが可能となり、特に運転開始時における立ち上がり性能を向上させることができ、快適性を維持することが可能となる。
請求項１７に係る空気調和機では、冷房運転時における立ち上がり性能を向上させることができ、快適性を維持することが可能となる。
【００５８】
請求項１８に係る空気調和機では、暖房運転時における立ち上がり性能を向上させることができ、快適性を維持することが可能となる。
請求項１９に係る空気調和機では、冷房運転時における立ち上がり性能を向上させることができ、快適性を維持することが可能となる。
請求項２０に係る空気調和機では、暖房運転時における立ち上がり性能を向上させることができ、快適性を維持することが可能となる。
【００５９】
請求項２１に係る空気調和機では、室内熱交換器内の冷媒蒸発温度が所定値である場合の冷房能力および室内熱交換器内の冷媒凝縮温度が所定値である場合の暖房能力を、そのときの室内ファンの回転数により補正することで、運転開始時における運転制御を適切なものとすることができ、快適性を維持することが可能となる。
【００６０】
請求項２２に係る空気調和機では、圧縮機の運転周波数を室内空調ユニットの実能力値に適合させることができ、運転開始時における立ち上がり性能を向上させることが可能となる。
請求項２３に係る空気調和機では、電動膨張弁の開度制御を室内空調ユニットの実能力値に適合したものとすることができ、運転開始時における立ち上がり性能を向上させることが可能となる。
【図面の簡単な説明】
【図１】  本発明の１実施形態が採用される空気調和機の冷媒回路。
【図２】  その制御ブロック図。
【図３】  その制御フローチャート。
【図４】  その制御フローチャート。
【図５】  圧縮機の初期周波数を決定するためのテーブルを示す説明図。
【符号の説明】
１  室外空調ユニット
２  室内空調ユニット
１１  圧縮機
１３  室外熱交換器
１７  電動膨張弁
２１  室内熱交換器
１０１  室外ユニット制御部
２０１  室内ユニット制御部
２０６  室内ファンモータ
【図１】
0003815199.tif 000002
【図２】
0003815199.tif 000003
【図３】
0003815199.tif 000004
【図４】
0003815199.tif 000005
【図５】
0003815199.tif 000006